(57)【要約】【課題】ネクタイの装着を伴って着用される場合において、外観上の不具合を防止することができるシャツを提供することを目的とする。【解決手段】ネクタイ１２の装着を伴って着用され、着用された状態において首回りを周回する台衿９の上端部から延出して下方に折り返された外衿１０と、外衿１０の左右の両端部を形成し上前身頃、下前身頃の上部に延出した１対の衿羽根１１Ａ、１１Ｂとを備えた構成のシャツ１において、１対の衿羽根１１Ａ、１１Ｂがそれぞれ台衿９から折り返された折り返し部９ｂの近傍に、衿羽根１１Ａ、１１Ｂにそれぞれ設けられた第１衿合わせ部１５Ａと第２衿合わせ部１５Ｂとを突き合わせることにより、１対の衿羽根１１Ａ、１１Ｂを相互に位置合わせするとともに相互に保持させる位置合わせ保持手段を備えるようにした。【選択図】図３
2018048423.tif 000002
【特許請求の範囲】
【請求項１】
ネクタイの装着を伴って着用されるシャツであって、
着用された状態において首回りを周回する台衿と、
この台衿の上端部から延出して下方に折り返された外衿と、
前記外衿の左右の両端部を形成し前身頃の上部に延出した１対の衿羽根と、
前記１対の衿羽根がそれぞれ前記台衿から折り返された折り返し部の近傍に設けられ、前記１対の衿羽根を相互に位置合わせするとともに相互に保持させる位置合わせ保持手段とを備えたことを特徴とするシャツ。
【請求項２】
前記位置合わせ保持手段は、凸部および凹部がそれぞれ設けられた１対のスナップ部品を一方の衿羽根側および他方の衿羽根側に備えたことを特徴とする請求項１記載のシャツ。
【請求項３】
前記位置合わせ保持手段は、一方の衿羽根側に設けられた位置決め凸部およびマグネット部材と、他方の衿羽根側に設けられ前記位置決め凸部が嵌合する位置決め凹部および前記マグネット部材により引磁される引磁部材とを備えたことを特徴とする請求項１記載のシャツ。
【請求項４】
前記位置合わせ保持手段は、一方の衿羽根側に設けられた位置決め凸部および面係止部材と、他方の衿羽根側に設けられ前記位置決め凸部が嵌合する位置決め凹部および前記面係止部材により面係止される被係止部材とを備えたことを特徴とする請求項１記載のシャツ。
【発明の詳細な説明】
【技術分野】
【０００１】
本発明は、ワイシャツやカッターシャツなど、ネクタイの装着を伴って着用されるシャツに関するものである。
【背景技術】
【０００２】
日本人の服装様式は大幅に西洋化され、日常的に着用される服としては従来より洋服が主流となっている。洋服を着装する際には、肌着の上にいわゆるシャツを着用し、さらにその上に重ねてスーツやジャケットなどの上着を着用することが一般に行われている。シャツの種類としては、主に男性がビジネス用やフォーマルな装いに際してネクタイの装着を伴って着用するワイシャツやカッターシャツが大きな部分を占めている。このようなシャツの着用に際して、ネクタイは首回りを覆うシャツの台衿を周回して装着され、左右の衿羽根の合わせ部において個々人の好みに応じた所定形状の結び目が形成される。
【０００３】
このようなネクタイの装着は慣れを要する操作であり、しかも通常は台衿に設けられたボタンが掛止された状態で行われることが多いため、さらに操作の煩雑感を増すこととなっている。そしてネクタイ装着時の手際が悪いと、着付けに時間を要するのみならず、ネクタイの結び目や左右の衿の形状が不揃いになるなど、外見上の不具合を招くこととなる。このため、従来よりネクタイの装着操作を簡略にし且つ見栄えのよい装着状態を得ることができるよう、シャツの台衿や衿羽根の形状などに工夫を凝らした種々の提案が行われている（例えば特許文献１、２、３参照）。
【０００４】
特許文献１に示す先行技術では、前身頃と台衿が縫合された接続部位の近傍に前身頃において最上位置となるように追加見頃ボタンを取り付け、さらにその下方に他の見頃ボタンを順次取り付けるようにしている。これにより、台衿における衿ボタンを掛けない場合であっても台衿部分が開口しすぎることなく、ネクタイを結ぶことができる。また特許文献２に示す先行技術では、通常は台衿の衿元片に設けられるボタンを欠除する替わりに、最も上部に位置する第１ボタンを衿元片に近接して設けるようにしている。これにより、衿元片に設けられるボタンの掛け外しを行うことなくネクタイを締めることができる。
【０００５】
さらに特許文献３に示す先行技術では、左前身頃の衿元の端部に右前身頃に向かって延びる帯状体を設け、帯状体の内側面に設けられた第１ファスナを、右前身頃の外側面に設けられた第２ファスナと係合させることにより、帯状体を左右両前身頃に打ち合わせた状態で留めるようにしている。これにより、ネクタイを締めたときに結び目の後ろに帯状体が横一線に位置したシンプルな美しい状態を形成することができるという効果を得る。
【先行技術文献】
【特許文献】
【０００６】
【特許文献１】特開２００２−４１０１号公報
【特許文献２】特開２００２−８８５０１号公報
【特許文献３】特開２００５−８９９０６号公報
【発明の概要】
【発明が解決しようとする課題】
【０００７】
しかしながら上述の先行技術を含め、ネクタイの装着を伴って着用される従来のシャツには、ネクタイ装着後の外観において以下のような不都合があった。すなわち一般にネクタイを装着する操作においては、ネクタイを「締める」という言葉が示すように、結び目が大まかに形成された後にネクタイを下方に引き下げて、結び目を締めて所望の形状にまとめる操作が行われる。この操作においては、ネクタイが周回して装着された台衿にも引き下げの力が及ぶことから、台衿から延出した衿羽根もともに引き下げ方向に位置が変化する。
【０００８】
この衿羽根の位置の変化において、衿寸法・首回り寸法の多少の不適合、ボタンの遊びなど種々の要因により左右一対の衿羽根は必ずしも等しく変位せず、幾分異なる状態で位置が変化する。このため、ネクタイを結び終えた状態において、左右一対の衿羽根の上端は上下位置が揃った状態とはならず、喰違いを生じる場合が多い。このような衿羽根の喰違いは外観上見苦しく見栄えが悪いことから、ネクタイの装着に特段の注意を払う必要がある。特に冠婚葬祭や正式なパーティなどフォーマル且つ端正な装いが求められる場合には、着用後に何度も身繕いを正す必要があった。このように、従来のシャツには、ネクタイの装着を伴って着用される場合に、衿羽根の高さ位置の喰違いなどの外観上の不具合を生じやすく、改善の方策が求められていた。
【０００９】
そこで本発明は、ネクタイの装着を伴って着用される場合において、外観上の不具合を防止することができるシャツを提供することを目的とする。
【課題を解決するための手段】
【００１０】
本発明のシャツは、ネクタイの装着を伴って着用されるシャツであって、着用された状態において首回りを周回する台衿と、この台衿の上端部から延出して下方に折り返された外衿と、前記外衿の左右の両端部を形成し前身頃の上部に延出した１対の衿羽根と、前記１対の衿羽根がそれぞれ前記台衿から折り返された折り返し部の近傍に設けられ、前記１対の衿羽根を相互に位置合わせするとともに相互に保持させる位置合わせ保持手段とを備えた。
【発明の効果】
【００１１】
本発明によれば、ネクタイの装着を伴って着用される場合において、外観上の不具合を防止することができる。
【図面の簡単な説明】
【００１２】
【図１】本発明の一実施の形態のシャツの全体形状図
【図２】本発明の一実施の形態のシャツの衿部の構成説明図
【図３】本発明の一実施の形態のシャツにおけるネクタイの装着状態の説明図
【図４】本発明の一実施の形態のシャツにおける衿羽根の位置合わせ保持手段の構成説明図
【図５】本発明の一実施の形態のシャツにおける衿羽根の位置合わせ保持手段の構成説明図
【図６】本発明の一実施の形態のシャツにおける衿羽根の位置合わせ保持手段の構成説明図
【発明を実施するための形態】
【００１３】
次に本発明の実施の形態を図面を参照して説明する。まず図１を参照して、シャツ１の全体形状を説明する。図１において、シャツ１はワイシャツやカッターシャツなど、男性がビジネス用やフォーマルな装いの際に着用する種類のシャツであり、本実施の形態においてはネクタイ１２の装着を伴って着用されるものを対象としている。
【００１４】
図１に示すように、シャツ１は胴体部に相当する上前身頃２Ａ、下前身頃２Ｂおよび後身頃３の上部をヨーク７を介して連結し、その連結部分から両側に袖６を延出させた形状となっている。上前身頃２Ａの端部が下前身頃２Ｂと重なる前立て４には複数のボタン５が配置されている。なお、袖６としては、長袖、半袖のいずれであってもよい。
【００１５】
前立て４の上端がヨーク７と交わる部位には衿部８が設けられている。衿部８は、着用された状態において首回りを周回する台衿９と、この台衿９の上端部から延出して下方に折り返された外衿１０を有している（図２参照）。ネクタイ１２は、台衿９と外衿１０との間に挟まれて首回りを周回し（図３（ａ）参照）、衿部８の前面にて結び目１２ｂを形成する。
【００１６】
外衿１０の左右の両端部は、それぞれ先端部が鋭角状に成形された形状の１対の衿羽根１１Ａ、衿羽根１１Ｂとなっており、衿羽根１１Ａ、衿羽根１１Ｂはそれぞれ上前身頃２Ａ、下前身頃２Ｂの上部に延出している。図２（ａ）は上前身頃２Ａ、下前身頃２Ｂを重ねずに衿羽根１１Ａ、衿羽根１１Ｂが分離した状態における衿部８を示している。また図２（ｂ）は、台衿９の上端部から延出した外衿１０を、上方に展開した状態を示している。
【００１７】
図２（ａ）に示すように、首回りを周回する台衿９の両端部である１対の衿元部９ａには、衿ボタン１３および衿ボタン孔１３ａがそれぞれ設けられている。衿ボタン１３の下方には、複数のボタン５（図１も参照）が所定の間隔で順次配列されており、衿ボタン孔１３ａの下方に位置する前立て４には、ボタン５の位置に対応して複数のボタン孔５ａが所定の間隔で順次配置されている。
【００１８】
図２（ｂ）に示すように、１対の衿羽根１１Ａ、衿羽根１１Ｂは、それぞれ台衿９の上端部である折り返し部９ｂを介して台衿９から折り返される。台衿９の衿元部９ａの近傍において、折り返し部９ｂの両端部を含む所定の範囲では、衿羽根１１Ａ、衿羽根１１Ｂおよび衿元部９ａが部分的に切除されている。これにより、図２（ａ）に示すように、衿羽根１１Ａ、衿羽根１１Ｂの折り返し部９ｂの両端部には、衿元部９ａ近傍において衿羽根１１Ａ、衿羽根１１Ｂの両端部を、所定幅で相互に突き合わせることが可能な衿突き合わせ部１１ａが形成されている。
【００１９】
そして台衿９の衿元部９ａにおいて、衿羽根１１Ａ、衿羽根１１Ｂ側の折り返し部９ｂの近傍には、それぞれ第１衿合わせ部１５Ａ、第２衿合わせ部１５Ｂが対をなして設けられている。第１衿合わせ部１５Ａ、第２衿合わせ部１５Ｂは、それぞれの対向面を突き合わせることにより、相互に位置合わせするとともに、所定の保持力で相互に保持する機能を有するものである。
【００２０】
本実施の形態においては、このような機能を有する第１衿合わせ部１５Ａ、第２衿合わせ部１５Ｂを、それぞれ衿羽根１１Ａ、衿羽根１１Ｂ側の衿元部９ａにそれぞれの対向面が衿突き合わせ部１１ａに臨むような姿勢で装着するようにしている。第１衿合わせ部１５Ａ、第２衿合わせ部１５Ｂはいずれも織布などの芯部材に上述機能を有する機能面を設けた構成となっており（図４〜図６参照）、芯部材を台衿９に縫い付けることにより装着される。
【００２１】
図３は、このような第１衿合わせ部１５Ａ、第２衿合わせ部１５Ｂの機能を示している。すなわち、シャツ１においてネクタイ１２を装着して着用する場合には、図３（ａ）に示すように、折り返された外衿１０と台衿９との間に周回部１２ａを挟み込んだ状態で台衿９を周回させる。そして重ねられた衿元部９ａ（図２参照）にて周回部１２ａを結節させて結び目１２ｂを形成し、結び目１２ｂからはみ出した残りの両端を前立て４（図１参照）に重なる位置にて垂下させる。    
【００２２】
このネクタイ１２の装着において着用者は、図３（ｂ）（図３（ａ）におけるＡ部詳細）に示すように、衿羽根１１Ａ、衿羽根１１Ｂのそれぞれの衿突き合わせ部１１ａを中央側に寄せて、第１衿合わせ部１５Ａ、第２衿合わせ部１５Ｂの対向面を位置合わせして突き合わせる操作を行う。すなわち、第１衿合わせ部１５Ａ、第２衿合わせ部１５Ｂのそれぞれの位置合わせ線ＡＬを相互に位置合わせした状態で、第１衿合わせ部１５Ａ、第２衿合わせ部１５Ｂの対向面を相互に押し付ける操作を行う。
【００２３】
この操作により、衿羽根１１Ａ、衿羽根１１Ｂはそれぞれの衿突き合わせ部１１ａを介して突き合わされるとともに、衿羽根１１Ａ、衿羽根１１Ｂのそれぞれの衿上端部１１ｂが、上下方向の位置の喰違いなく正しく位置合わせされた状態となる。そして衿羽根１１Ａ、衿羽根１１Ｂは、第１衿合わせ部１５Ａ、第２衿合わせ部１５Ｂの対向面が突き合わされることによる保持力Ｆ（図４〜図６参照）により、位置合わせされた状態が保持される。
【００２４】
すなわち上記構成において、第１衿合わせ部１５Ａ、第２衿合わせ部１５Ｂの組み合わせは、１対の衿羽根１１Ａ、衿羽根１１Ｂがそれぞれ台衿９から折り返された折り返し部９ｂの近傍に設けられ、１対の衿羽根１１Ａ、衿羽根１１Ｂを相互に位置合わせするとともに相互に保持させる位置合わせ保持手段となっている。
【００２５】
このような位置合わせ保持手段を衿部８に備えることにより、ネクタイ１２の装着において結び目１２ｂが大まかに形成された後にネクタイ１２を下方に引き下げて結び目１２ｂの形状を整える操作を行う際に、衿羽根１１Ａ、衿羽根１１Ｂの衿上端部１１ｂの上下方向の位置に喰違いを生じることがない。なお本実施の形態に示すシャツ１では、衿元部９ａに衿ボタン１３および衿ボタン孔１３ａを設けた例を示しているが、上述のような位置合わせ保持手段を備えることにより、衿ボタン１３の掛止を省略した状態でネクタイ１２を装着することができる。
【００２６】
このような位置合わせ保持手段としての機能を有する第１衿合わせ部１５Ａ、第２衿合わせ部１５Ｂの構成例について、図４〜図６を参照して説明する。まず図４を参照して、位置合わせ保持手段を構成する第１衿合わせ部１５Ａ（１）、第２衿合わせ部１５Ｂ（１）として、１対のスナップ部品（ホック）を用いた例について説明する。
【００２７】
図４（ａ）において、芯部材１６は固定糸を用いた縫い合わせによる固定が可能な材質を円柱状に成形して構成されている。構成例としては、フェルトや織布を円柱状に丸めて形成されたものや、多孔質性の軟質樹脂を所望の形状に成形したものなどを用いることができる。このような特性を有する芯部材１６は、以下に説明する機能部品の縫い付けによる固定や、シャツ１の台衿９への縫い付けによる装着が可能となっている。
【００２８】
第１衿合わせ部１５Ａ（１）は、芯部材１６の一方側の端面に第１スナップ部材１７を装着した構成となっている。また第２衿合わせ部１５Ｂ（１）は、芯部材１６において第１衿合わせ部１５Ａ（１）と対向する端面に第２スナップ部材１８を装着した構成となっている。第１スナップ部材１７、第２スナップ部材１８は芯部材１６よりも小径サイズの円板状部品であり、それぞれ複数の縫着孔１７ｂ、１８ｂが設けられている。縫着孔１７ｂ、１８ｂに固定糸１９を挿通させて芯部材１６の端面に縫着することにより、第１スナップ部材１７、第２スナップ部材１８は芯部材１６の端面に縫い付けられて固定される。
【００２９】
第１スナップ部材１７の表面（芯部材１６との固定面の反対面）には略球形状の凸部１７ａが設けられており、第２スナップ部材１８には、凸部１７ａが嵌合する形状の凹部１８ａが設けられている。さらに凹部１８ａの入り口には、凹部１８ａに嵌合した凸部１７ａを嵌脱自在に係止するための係止部材１８ｃが設けられている。
【００３０】
図４（ｂ）は、第１衿合わせ部１５Ａ（１）と第２衿合わせ部１５Ｂ（１）とを突き合わせて、位置合わせ保持手段２０（１）として機能させた状態を示している。すなわち、第１衿合わせ部１５Ａ（１）、第２衿合わせ部１５Ｂ（１）のそれぞれの位置合わせ線ＡＬを一致させて、それぞれの対向面に設けられた第１スナップ部材１７、第２スナップ部材１８を突き合わせる。これにより、それぞれの位置合わせ線ＡＬが一致して位置合わせされた状態で、第１スナップ部材１７の凸部１７ａが第２スナップ部材１８の凹部１８ａに嵌合する。これとともに、凸部１７ａが凹部１８ａに嵌合した状態では、係止部材１８ｃによって凸部１７ａが係止され、第１衿合わせ部１５Ａ（１）と第２衿合わせ部１５Ｂ（１）とは、所定の保持力Ｆで相互に保持される。
【００３１】
すなわち図４に示す位置合わせ保持手段２０（１）は、凸部１７ａが設けられた第１スナップ部材１７を芯部材１６を介して一方の衿羽根１１Ａ側に備えており、凹部１８ａが設けられた第２スナップ部材１８を芯部材１６を介して他方の衿羽根１１Ｂ側に備えた形態となっている。換言すれば、凸部１７ａおよび凹部１８ａよりなる１対のスナップ部品を、一方の衿羽根側および他方の衿羽根側に備えている。
【００３２】
次に図５を参照して、位置合わせ保持手段を構成する第１衿合わせ部１５Ａ（２）、第２衿合わせ部１５Ｂ（２）として、磁性体金属を引磁する性質を有するマグネット部材を用いた例について説明する。図５（ａ）に示す芯部材１６は、図４における芯部材１６と同様のものであり、以下に説明する機能部品の縫い付けによる固定や、シャツ１の台衿９への縫い付けによる装着が可能となっている。
【００３３】
第１衿合わせ部１５Ａ（２）は、芯部材１６の一方側の端面に第１マグネット部材２１を装着した構成となっている。また第２衿合わせ部１５Ｂ（２）は、芯部材１６において第１衿合わせ部１５Ａ（２）と対向する端面に、第１マグネット部材２１によって引磁される引磁部材としての第２マグネット部材２２を装着した構成となっている。なお、第２マグネット部材２２として第１マグネット部材２１と同様のマグネットを用いてもよく、またマグネットによって引磁される磁性体金属を用いてもよい。
【００３４】
第１マグネット部材２１、第２マグネット部材２２は芯部材１６よりも小径サイズの円板状部品であり、それぞれ複数の逢着孔２１ｂ、２２ｂが設けられている。逢着孔２１ｂ、２２ｂに固定糸１９を挿通させて芯部材１６の端面に縫着することにより、第１マグネット部材２１、第２マグネット部材２２は芯部材１６の端面に縫い付けられて固定される。第１マグネット部材２１の表面（芯部材１６との固定面の反対面）には位置決め凸部２１ａが設けられており、第２マグネット部材２２には、位置決め凸部２１ａが嵌合する形状の位置決め凹部２２ａが設けられている。
【００３５】
図５（ｂ）は、第１衿合わせ部１５Ａ（２）と第２衿合わせ部１５Ｂ（２）とを突き合わせて、位置合わせ保持手段２０（２）として機能させた状態を示している。すなわち、第１衿合わせ部１５Ａ（２）、第２衿合わせ部１５Ｂ（２）のそれぞれの位置合わせ線ＡＬを一致させて、それぞれの対向面に設けられた第１マグネット部材２１、第２マグネット部材２２を突き合わせる。
【００３６】
これにより、それぞれの位置合わせ線ＡＬが一致して位置あわさせて状態で第１マグネット部材２１の位置決め凸部２１ａが第２マグネット部材２２の位置決め凹部２２ａに嵌合する。これとともに、第１マグネット部材２１が第２マグネット部材２２に及ぼす引磁力によって第１衿合わせ部１５Ａ（２）と第２衿合わせ部１５Ｂ（２）とは、所定の保持力Ｆで相互に保持される。
【００３７】
すなわち図５に示す位置合わせ保持手段２０（２）は、位置決め凸部２１ａが設けられた第１マグネット部材２１を芯部材１６を介して一方の衿羽根１１Ａ側に備えており、位置決め凸部２１ａが嵌合する位置決め凹部２２ａが設けられた第２マグネット部材２２を芯部材１６を介して他方の衿羽根１１Ｂ側に備えた形態となっている。換言すれば、一方の衿羽根１１Ａ側に設けられた位置決め凸部２１ａおよび第１マグネット部材２１と、他方の衿羽根１１Ｂ側に設けられ位置決め凸部２１ａが嵌合する位置決め凹部２２ａおよび第１マグネット部材２１により引磁される引磁部材としての第２マグネット部材２２とを備えた構成となっている。
【００３８】
次に図６を参照して、位置合わせ保持手段を構成する第１衿合わせ部１５Ａ（３）、第２衿合わせ部１５Ｂ（３）として、面ファスナー部品を用いた例について説明する。図６（ａ）に示す芯部材１６は、図４における芯部材１６と同様のものであり、以下に説明する機能部品の縫い付けによる固定や、シャツ１の台衿９への縫い付けによる装着が可能となっている。
【００３９】
第１衿合わせ部１５Ａ（３）は、芯部材１６の一方側の端面に第１位置決め部材２３および面係止部材２５ａを装着した構成となっており、第２衿合わせ部１５Ｂ（３）は芯部材１６において第１衿合わせ部１５Ａ（３）と対向する端面に第２位置決め部材２４および面係止部材２５ａによって面係支される被係止部材２５ｂを装着した構成となっている。面係止部材２５ａおよび被係止部材２５ｂは、いずれもシート状のベースに相互に押し付けることにより密着する形状の起毛処理が施されたシート部品であり、面係止部材２５ａおよび被係止部材２５ｂを組み合わせることにより、面的に着脱可能な面ファスナーを構成する。
【００４０】
第１位置決め部材２３、第２位置決め部材２４は芯部材１６よりも小径サイズの円板状部品であり、それぞれ複数の逢着孔２３ｂ、２４ｂが設けられている。逢着孔２３ｂ、２４ｂに固定糸１９を挿通させて、面係止部材２５ａ、被係止部材２５ｂとそれぞれ一体的に芯部材１６の端面に縫着することにより、第１位置決め部材２３および面係止部材２５ａ、第２位置決め部材２４および被係止部材２５ｂは、芯部材１６の端面に縫い付けられて固定される。第１位置決め部材２３の表面（芯部材１６との固定面の反対面）には位置決め凸部２３ａが設けられており、第２位置決め部材２４には、位置決め凸部２３ａが嵌合する形状の位置決め凹部２４ａが設けられている。
【００４１】
図６（ｂ）は、第１衿合わせ部１５Ａ（３）と第２衿合わせ部１５Ｂ（３）とを突き合わせて、位置合わせ保持手段２０（３）として機能させた状態を示している。すなわち、第１衿合わせ部１５Ａ（３）、第２衿合わせ部１５Ｂ（３）のそれぞれの位置合わせ線ＡＬを一致させて、それぞれの対向面に設けられた第１位置決め部材２３、第２位置決め部材２４を、面係止部材２５ａ、被係止部材２５ｂを介して突き合わせる。
【００４２】
これにより、それぞれの位置合わせ線ＡＬが一致して位置合わせされた状態で、第１位置決め部材２３の位置決め凸部２３ａが第２位置決め部材２４の位置決め凹部２４ａに嵌合する。これとともに、面係止部材２５ａ、被係止部材２５ｂが相互に押し付けられて絡み合うことによる面ファスナー効果によって、第１衿合わせ部１５Ａ（３）と第２衿合わせ部１５Ｂ（３）とは、所定の保持力Ｆで相互に保持される。
【００４３】
すなわち図６に示す位置合わせ保持手段２０（３）は、位置決め凸部２３ａが設けられた第１位置決め部材２３および面係止部材２５ａを、芯部材１６を介して一方の衿羽根１１Ａ側に備えている。そして位置決め凸部２３ａが嵌合する位置決め凹部２４ａが設けられた第２位置決め部材２４および面係止部材２５ａによって面係支される被係止部材２５ｂを、芯部材１６を介して他方の衿羽根１１Ｂ側に備えた形態となっている。
【００４４】
換言すれば、位置合わせ保持手段２０（３）は、一方の衿羽根１１Ａ側に設けられた位置決め凸部２３ａおよび面係止部材２５ａと、他方の衿羽根１１Ｂ側に設けられ位置決め凸部２３ａが嵌合する位置決め凹部２４ａおよび面係止部材２５ａにより面係止される被係止部材２５ｂとを備えた構成となっている。
【００４５】
上記説明したように、本実施の形態に示すネクタイ１２の装着を伴って着用されるシャツ１は、着用された状態において首回りを周回する台衿９の上端部から延出して下方に折り返された外衿１０と、外衿１０の左右の両端部を形成し上前身頃２Ａ、下前身頃２Ｂの上部に延出した１対の衿羽根１１Ａ、１１Ｂとを備えた構成において、１対の衿羽根１１Ａ、１１Ｂがそれぞれ台衿９から折り返された折り返し部９ｂの近傍に、衿羽根１１Ａ、１１Ｂにそれぞれ設けられた第１衿合わせ部１５Ａと第２衿合わせ部１５Ｂとを突き合わせることにより、１対の衿羽根１１Ａ、１１Ｂを相互に位置合わせするとともに相互に保持させる位置合わせ保持手段２０を備えるようにしている。
【００４６】
これにより、ネクタイ１２を装着する操作において、衿羽根１１Ａ、１１Ｂを位置合わせして突き合わせるという簡単な操作によって、衿羽根１１Ａ、１１Ｂを上下位置の喰違を生じることなく相互に保持させることができる。したがって、冠婚葬祭や正式なパーティなどフォーマル且つ端正な装いが求められる場合にあっても、着用後に何度も身繕いを正すことなく、外観上の不具合を防止することが可能となっている。
【００４７】
なお本実施の形態では、ネクタイ１２の装着状態において１対の衿羽根１１Ａ，１１Ｂを相互に位置合わせするとともに相互に保持させる位置合わせ保持手段２０の構成例として、図４〜図６に示すように、スナップ部品、マグネット部品、面ファスナ部品を用いた例を示したが、本発明はこれらに限定されるものではなく、一般に広く周知の縫製技術から適宜選択して位置合わせ保持手段２０として用いることができる。すなわち、図２に示す衿元部９ａに装着可能であり、衿羽根１１Ａ、衿羽根１１Ｂの先端部分を、相互に位置合わせして保持させることが可能な構成であれば、本発明の適用対象となる。
【産業上の利用可能性】
【００４８】
本発明のシャツは、ネクタイの装着を伴って着用される場合において、外観上の不具合を防止することができるという効果を有し、ワイシャツやカッターシャツなどの衣料製品分野において有用である。
【符号の説明】
【００４９】
１  シャツ
２Ａ  上前身頃
２Ｂ  下前身頃
８  衿部
９  台衿
１０  外衿
１１Ａ，１１Ｂ  衿羽根
１１ａ  衿突き合わせ部
１２  ネクタイ
１５Ａ  第１衿合わせ部
１５Ｂ  第２衿合わせ部
１６  芯部材
１７  第１スナップ部材
１７ａ  凸部
１８  第２スナップ部材
１８ａ  凹部
２０  位置合わせ保持手段
２１  第１マグネット部材
２１ａ  位置決め凸部
２２  第２マグネット部材
２２ａ  位置決め凹部
２３  第１位置決め部材
２３ａ  位置決め凸部
２４  第２位置決め部材
２４ａ  位置決め凹部
２５ａ  面係止部材
２５ｂ  被係止部材
【図１】
2018048423.tif 000003
【図２】
2018048423.tif 000004
【図３】
2018048423.tif 000005
【図４】
2018048423.tif 000006
【図５】
2018048423.tif 000007
【図６】
2018048423.tif 000008